(57)【要約】      （修正有）【課題】放射能で汚染された物質が周辺に飛散するのを阻止しつつ遮蔽する方法を提供する。【解決手段】圧力容器には遮蔽液体12と高圧エアが充填され、道路10に散乱した廃棄物11に遮蔽液体12を散布する。廃棄物11の上で遮蔽液体12が固化すると遮蔽物13が生成される。遮蔽物13によって覆われた廃棄物11はシャベル14で回収される。【選択図】図２
2015227776.tif 000002
【特許請求の範囲】
【請求項１】
放射線遮蔽機能を有し且つ時間の経過によって固化する遮蔽液体を用意し、
放射能で汚染された対象物に対して前記遮蔽液体を散布する遮蔽液体散布工程と、
前記対象物に散布した前記遮蔽液体が固化した後に前記対象物を収集する収集工程とを有することを特徴とする放射能で汚染された物質の飛散防止方法。
【請求項２】
消臭剤及び／又は殺菌消毒剤を散布する第２の散布工程を更に有する、請求項１に記載の放射能で汚染された物質の飛散防止方法。
【請求項３】
前記遮蔽液体散布工程と前記第２の散布工程とが同時に行われる、請求項２に記載の放射能で汚染された物質の飛散防止方法。
【請求項４】
先ず前記第２の散布工程が行われ、次いで前記遮蔽液体散布工程が行われる、請求項２に記載の放射能で汚染された物質の飛散防止方法。
【請求項５】
先ず前記遮蔽液体散布工程が行われ、次いで前記第２の散布工程が行われる、請求項２に記載の放射能で汚染された物質の飛散防止方法。
【請求項６】
前記消臭剤が液体である、請求項１〜５のいずれか一項に記載の放射能で汚染された物質の飛散防止方法。
【請求項７】
前記消臭剤が粉体又は顆粒である、請求項１〜５のいずれか一項に記載の放射能で汚染された物質の飛散防止方法。
【請求項８】
前記対象物が、道路上に散乱した廃棄物である、請求項１〜７のいずれか一項に記載の放射能で汚染された物質の飛散防止方法。
【請求項９】
前記対象物が建造物であり、
該建造物に前記遮蔽液体を散布しつつ該建造物を解体する、請求項１に記載の放射能で汚染された物質の飛散防止方法。
【請求項１０】
放射能で汚染された物質に遮蔽液体を散布するための遮蔽液体散布器であって、
放射線遮蔽機能を有し且つ時間の経過によって固化する前記遮蔽液体と、高圧ガスとを収容した圧力容器と、
該圧力容器は、また、散布器を備えた耐圧ホースを有し、
該散布器から前記遮蔽液体を散布することができる遮蔽液体散布器。
【請求項１１】
前記圧力容器の中に粉体又は顆粒の消臭剤が収容されている、請求項１０に記載の遮蔽液体散布器。
【請求項１２】
車両に搭載可能な散布装置であって、
放射線遮蔽機能を有し且つ時間の経過によって固化する遮蔽液体を収容したタンクと、
該タンクから前記遮蔽液体を吸い上げるポンプと、
該ポンプに接続された耐圧ホースと、
該耐圧ホースの先端に取り付けられた散布器と、
圧縮エアを生成するコンプレッサとを有し、
該コンプレッサから供給される圧縮エアによって前記散布器から前記遮蔽液体を散布することができる散布装置。
【発明の詳細な説明】
【技術分野】
【０００１】
本発明は、一般的には、放射能汚染の拡散防止に関し、より詳しくは、放射能で汚染された物質が生活環境に飛散するのを防止する方法及びこれに使用する遮蔽液体を収容した散布器並びに散布装置に関する。
【背景技術】
【０００２】
平成２３年３月１１日に発生した東北地方太平洋沖地震に伴う原子力発電所の事故により大量の放射性物質が放出され、この放射性物質によって環境汚染が発生している。
【０００３】
環境汚染に関して、環境省は「指定廃棄物関係ガイドライン」を公表している。このガイドラインでは、事故由来の放射性物質により汚染された廃棄物の収集、運搬、保管について詳しく規定している。
【０００４】
例えば特定廃棄物の運搬に関し、「特定廃棄物による人の健康又は生活環境に係る被害が生じないようにすること。」と規定している（規則第２３条第１項第１号）。
【０００５】
また、容器等に収納した状態で廃棄物を運搬するのに必要な措置として、「特定廃棄物（特定廃棄物から生ずる汚水を含む。）が運搬車から飛散し、流出し、及び漏れ出さないように、特定廃棄物を容器に収納する等必要な措置を講ずること。」（規則第２３条第１項第１号）と規定している。
【０００６】
環境省から上記「指定廃棄物関係ガイドライン」が公表されたことから、特定廃棄物の運搬に関しては上記の厳格な規定に従って実施されると期待できる。
【０００７】
また、除染が進行するなか、除染によって取り除かれた表土や道路側溝の汚泥廃棄物は、今現在、仮置き場や除染現場に保管されているが、今後は、中間貯蔵施設に搬送される。また、放射能で汚染された建造物の解体、撤去が行われる。
【発明の概要】
【発明が解決しようとする課題】
【０００８】
放射能に汚染された廃棄物の搬送は、上述したように厳格な規定に基づいて実施されるが、例えば交通事故が発生したときに車両に積載した廃棄物が道路に散乱してしまう可能性がある。このことは万が一の話ではあるが、廃棄物が散乱した場合、周辺領域の住民を混乱させてしまう。また、道路に散乱した廃棄物を収集する作業員の安全性を確保する必要がある。
【０００９】
また、廃棄物が悪臭の元になる場合、この悪臭の元は、人体に悪影響を及ぼす化学物質や細菌、微生物であると考えられている。道路上に廃棄物が散乱したとき、この廃棄物が発する悪臭によって周辺住民に健康被害が発生することは許されない。
【００１０】
また、放射能で汚染された建造物の解体作業を行う際、これに伴う粉塵が周囲に飛散してしまう。放射能で汚染されていない建造物の場合には、水をかけながら解体することで粉塵の飛散を防止することができる。しかし、放射能で汚染された建造物の場合、水を使うことは、この水が汚染されることから水を使って解体作業を行うことはできない。
【００１１】
本発明の目的は、放射能で汚染された物質が周辺に飛散するのを阻止しつつ遮蔽することのできる放射能で汚染された物質の飛散防止方法及びこれに使用する遮蔽液体を収容した散布器並びに散布装置を提供することにある。
【００１２】
本発明の更なる目的は、例えば道路上に散乱した廃棄物が発散する悪臭による周辺住民の健康被害の発生を防止できる放射能で汚染された物質の飛散防止方法及びこれに使用する遮蔽液体を収容した散布器並びに散布装置を提供することにある。
【課題を解決するための手段】
【００１３】
上記の技術的課題は、本発明の一つの観点によれば、
放射線遮蔽機能を有し且つ時間の経過によって固化する遮蔽液体を用意し、
放射能で汚染された対象物に対して前記遮蔽液体を散布する遮蔽液体散布工程と、
前記対象物に散布した前記遮蔽液体が固化した後に前記対象物を収集する収集工程とを有することを特徴とする放射能で汚染された物質の飛散防止方法を提供することにより達成される。
【００１４】
本発明の他の観点によれば、上記の技術的課題は、
放射能で汚染された物質に遮蔽液体を散布するための遮蔽液体散布器であって、
放射線遮蔽機能を有し且つ時間の経過によって固化する前記遮蔽液体と、高圧ガスとを収容した圧力容器と、
該圧力容器は、また、散布器を備えた耐圧ホースを有し、
該散布器から前記遮蔽液体を散布することができる遮蔽液体散布器を提供することにより達成される。
【００１５】
本発明の別の観点によれば、上記の技術的課題は、
放射線遮蔽機能を有し且つ時間の経過によって固化する遮蔽液体を収容したタンクと、
該タンクから前記遮蔽液体を吸い上げるポンプと、
該ポンプに接続された耐圧ホースと、
該耐圧ホースの先端に取り付けられた散布器と、
圧縮エアを生成するコンプレッサとを有し、
該コンプレッサから供給される圧縮エアによって前記散布器から前記遮蔽液体を散布することができる散布装置を提供することにより達成される。
【００１６】
上記圧力容器及び/又は上記タンクには、必要に応じて消臭剤及び/又は殺菌消毒剤が添加される。
【００１７】
対象物としては、汚泥、土、砂、木材、木の枝、木の葉などを例示的に挙げることができる。遮蔽液体として、典型的には、信越化学工業株式会社が製造販売する「ラディバリヤー」（登録商標）を挙げることができる。ラディバリヤーは、放射線遮蔽物質を液体シリコーンゴムに配合した遮蔽液体である。ラディバリヤーには、比較的低粘度の「ラディバリヤー１０１」と、比較的高粘度の「ラディバリヤー１０２」とが現在市販されている。「ラディバリヤー１０１」は狭い隙間に流し込む目的で作られている。「ラディバリヤー１０２」は垂直面のシーリングのために作られている。
【００１８】
比較的低粘度の「ラディバリヤー１０１」が本発明の目的に合致している。この「ラディバリヤー１０１」は、室温で暫く放置することで硬化する特性を有している。ラディバリヤーは鉛などの環境負荷物質を含まないため、使用後に焼却炉で焼却処分することができる。
【００１９】
本発明の適用例の一つとして、放射能で汚染された廃棄物の搬送中に事故が発生して廃棄物が道路に散乱した場合、散乱した廃棄物に向けて遮蔽液体を散布する例を挙げることができる。道路に散乱した廃棄物に向けて遮蔽液体を散布することにより、暫くすると遮蔽液体が廃棄物の上で固化する。これにより廃棄物を遮蔽することができる。また、シャベルを使って回収することができる。
【００２０】
前記遮蔽液体と一緒に、又は、遮蔽液体の散布の前又は後に消臭剤及び／又は殺菌消毒剤を散布するのがよい。消臭剤、殺菌消毒剤は、液体、粉体、顆粒のいずれであってもよい。好適な具体例として「エフニカ」（登録商標）を挙げることができる。「エフニカ」は二価鉄化合物とキレート化剤とを主成分とする消臭剤である。「エフニカ」は、液体タイプ、粉体タイプ、顆粒タイプの三種類がある。
【００２１】
粉体タイプ又は顆粒タイプの「エフニカ」を採用するときには、遮蔽液体と「エフニカ」との混合物を散布することができる。
【００２２】
消臭剤及び/又は殺菌消毒剤を先に散布することで、廃棄物の悪臭が周辺に飛散するのを抑制することができ、及び／又は、廃棄物が発する悪臭の元である細菌や微生物による周辺住民の健康被害の発生を防止することができる。また、次に散布した遮蔽液体が固化することで、悪臭の飛散を遮蔽することができる。
【００２３】
遮蔽液体を先ず散布し、次いで、消臭剤及び/又は殺菌消毒剤を散布する場合、先行して散布した遮蔽液体が固化することで、放射線だけでなく悪臭の飛散を遮蔽することができる。そして、次に散布した消臭剤及び/又は殺菌消毒剤によって消臭や細菌を殺菌することができる。
【００２４】
本発明の他の適用例として、放射能で汚染された建造物に対して遮蔽液体を散布しながら解体作業を進めればよい。これにより、解体に伴う粉塵が周囲に飛散するのを防止することができる。また、解体物の表面で遮蔽液体が固化することから、解体物が放出する放射線を遮蔽することができる。
【図面の簡単な説明】
【００２５】
【図１】本発明に従う遮蔽液体散布器の側面図である。
【図２】道路に散乱した廃棄物の処理を説明するための図であり、（Ａ）は道路上に散乱した廃棄物に遮蔽液体を散布している状態を示し、（Ｂ）は時間の経過によって散布した遮蔽液体が固化した状態を示し、（Ｃ）はシャベルを使って回収している状態を示す。
【図３】消臭剤及び／又は殺菌消毒剤を散布し、次に遮蔽液体を散布する例を説明するための図であり、（Ａ）は道路上に散乱した廃棄物に消臭剤及び／又は殺菌消毒剤を散布している状態を示し、（Ｂ）は、次に遮蔽液体を散布している状態を示し、（Ｃ）は時間の経過によって散布した遮蔽液体が固化した状態を示す。
【図４】遮蔽液体を散布しながら建造物を解体する工程を説明するためのフローチャートである。
【図５】建造物の解体に好適に適用できる遮蔽液体散布装置の概略を説明するための図である。
【図６】遮蔽液体散布装置と一緒に車両に搭載可能な消臭剤及び／又は殺菌消毒剤を散布するための第２の散布装置の概要を説明するための図である。
【図７】遮蔽液体と、消臭剤及び/又は殺菌消毒剤とを別のタンクに収容し、一つの散布器で遮蔽液体と消臭剤などとを一緒に散布することのできる第３の散布装置の概要を説明するための図である。
【発明を実施するための形態】
【実施例】
【００２６】
以下に、添付の図面に基づいて本発明の好ましい実施例を説明する。
【００２７】
図１は遮蔽液体を散布するための遮蔽液体散布器を示す。遮蔽液体散布器は圧力容器１を有し、圧力容器１には、散布した後一定時間が経過すると固化する遮蔽液体と、高圧ガス（典型的には高圧エア）とが充填されている。遮蔽液体散布器は、圧力容器１に接続された可撓性耐圧ホース２を有し、この耐圧ホース２の先端に散布器つまりノズル３が取り付けられている。ノズル３から遮蔽液体を散布するときには、安全ピン４を取り外して操作レバー５を操作すればよい。
【００２８】
遮蔽液体は、固化すると放射線を遮蔽する機能を有し、好ましくは、固化した後の遮蔽物が焼却処分可能であるのがよい。遮蔽液体の典型例が「ラディバリヤー」（登録商標）である。
【００２９】
圧力容器１の中に、遮蔽液体の他に消臭剤及び／又は殺菌消毒剤を添加してもよい。典型的には、遮蔽液体に、粉体タイプの「エフニカ」（登録商標）を添加した混合物を圧力容器１に充填すればよい。別の例として、例えば消臭剤及び/又は殺菌消毒剤が遮蔽液体と反応する場合には、圧力容器１の内部に隔壁で２つ又は３つの独立した部屋を作り、各部屋に遮蔽液体、消臭剤、殺菌消毒剤を収容すればよい。
【００３０】
図２は、道路１０に散乱した廃棄物１１に対する処置を説明するための図である。図２の（Ａ）は、散乱した廃棄物１１に向けて遮蔽液体１２を散布している状態を示す。この遮蔽液体１２と一緒に消臭剤及び/又は殺菌消毒剤を散布するのがよい。図２の（Ｂ）は、時間の経過によって廃棄物１１の上で遮蔽液体１２が固化した状態を示す。図中、散布した遮蔽液体１２が固化することで生成される遮蔽物を参照符号１３で図示してある。図２の（Ｃ）は、遮蔽物１３で覆われた廃棄物１１をシャベル１４で回収している状態を示す。
【００３１】
図３は、遮蔽液体と、消臭剤及び／又は殺菌消毒剤とを別々に散布した例を示す。図３の（Ａ）は、散乱した廃棄物１１に先ず消臭剤及び／又は殺菌消毒剤１５を散布している状態を示す。図３の（Ｂ）は、消臭剤などの散布の後に、遮蔽液体１２を散布している状態を示す。図３の（Ｃ）は、遮蔽液体１２を散布した後、暫く経過して遮蔽液体１２が固化した状態を示す。消臭剤、殺菌消毒剤は、液体、粉体、顆粒のいずれであってもよい。
【００３２】
変形例として、先ず遮蔽液体１２を散布し、次いで、消臭剤及び/又は殺菌消毒剤を散布してもよい。
【００３３】
図３の（Ｂ）において、消臭剤と殺菌消毒剤とを散布する場合、消臭剤と殺菌消毒剤とを一緒に散布してもよいし、別々に散布してもよい。消臭剤と殺菌消毒剤とを別々に散布する場合、消臭剤を散布すると同時に殺菌消毒剤を散布してもよいし、例えば、先ず消臭剤（又は殺菌消毒剤）を散布し、次に殺菌消毒剤（又は消臭剤）を散布してもよい。
【００３４】
廃棄物１１を搬送する車両に図１に図示した遮蔽液体散布器を予め搭載しておくのがよい。圧力容器１に消臭剤及び／又は殺菌消毒剤が添加されていない場合には、圧力容器１とは別に消臭剤及び／又は殺菌消毒剤を収容した容器を車両に搭載しておくのがよい。事故直後に、圧力容器１を取り出して、道路１０に散乱した廃棄物１１に対して遮蔽液体１２を散布することができる。遮蔽液体１２を散布することで、廃棄物１１が飛散するのを防止することができる。また、散布した遮蔽液体１２が固化することで、廃棄物１１から放出される放射線を遮蔽することができる。また、遮蔽液体１２が固化することで生成される遮蔽物１３は廃棄物１１と一緒にシャベル１４を使って回収することができる。
【００３５】
この一連の作業を迅速に行うことで、道路に散乱した廃棄物１１が飛散して周辺を汚染することを防止できるだけでなく、廃棄物１１の遮蔽により周辺の住民に対して安心感を提供することができる。
【００３６】
また、道路１０上に散乱した廃棄物１１に消臭剤及び／又は殺菌消毒剤を散布することで、廃棄物１１から発生する悪臭が周囲に拡散するのを抑制することができ、あるいは、悪臭の元となる細菌や微生物を殺菌消毒剤で殺菌することができる。これにより悪臭の飛散や周辺住民の健康被害の発生を防止することができる。
【００３７】
図４は、放射能で汚染された建造物の解体作業のフローチャートである。建造物に向けて、上述した遮蔽液体を散布しながら解体作業を行う（ステップＳ１）。これにより、解体に伴う粉塵が周囲に飛散するのを防止することができる。次に、解体物に付着した遮蔽液体が固化する（ステップＳ２）。これにより、解体物が放出する放射線を遮蔽することができる。次に、解体物を集める（ステップＳ３）。遮蔽液体が固化することで生成された遮蔽物によって解体物が遮蔽されているため、回収する作業員の安全を確保することができる。
【００３８】
図５は、建造物の解体に好適な遮蔽液体散布装置２０の概要を説明するための図である。遮蔽液体散布装置２０は、遮蔽液体１２を収容したタンク２１と、タンク２１から遮蔽液体１２を吸い上げるポンプ２２と、コンプレッサ２３とを有する。ポンプ２２には耐圧ホース２４が接続され、耐圧ホース２４の先端には、ガンつまり散布器２５が取付けられている。ガン２５にはコンプレッサ２３から圧縮エアが供給され、この圧縮エアによってガン２５から遮蔽液体１２を散布することができる。
【００３９】
遮蔽液体散布装置２０は、常時、車両の荷台に設置しておくのがよい。これにより、解体工事の現場に車両を移動させるだけで、直ぐに遮蔽液体１２の散布を開始することができる。また、遮蔽液体散布装置２０を搭載した車両を用意することで、前述した事故が発生した現場に車両を移動させることで、道路１０に散乱した大量の廃棄物１１を処置することができる。必要に応じてタンク２１に消臭剤及び/又は殺菌消毒剤を添加すればよい。遮蔽液体散布装置２０の他に、消臭剤などを入れた第２の散布装置３０を同じ車両に搭載しておいてもよい。
【００４０】
第２の散布装置３０の構成例を図６に示す。第２の散布装置３０は、消臭剤及び／又は殺菌消毒剤１５を収容したタンク３１と、タンク３１から消臭剤及び／又は殺菌消毒剤１５を吸い上げるポンプ３２と、コンプレッサ３３とを有する。この第２の散布装置３０（図６）は、液体の消臭剤、殺菌消毒剤１５に好適適用できる。このコンプレッサ３３は、前述した遮蔽液体散布装置２０のコンプレッサ２３と共用してもよい。ポンプ３２には耐圧ホース３４が接続され、耐圧ホース３４の先端にはガンつまり散布器３５が取付けられている。
【００４１】
図７は、第３の散布装置４０の構成例を示す。第３の散布装置４０は、遮蔽液体１２を収容した第１のタンク２１と、消臭剤及び/又は殺菌消毒剤１５を収容した第２のタンク３１とを有し、遮蔽液体１２と消臭剤及び/又は殺菌消毒剤１５とを共通のガンつまり散布器４２で散布することができる。参照符号４４、４６はポンプを示し、参照符号４８はコンプレッサを示す。
【００４２】
図６、図７に図示の散布装置３０、４０において、消臭剤と殺菌消毒剤とを別の容器に収容した方が良い場合は、消臭剤を収容する消臭剤タンクと、殺菌消毒剤を収容する殺菌消毒剤タンクとを用意すればよい。
【００４３】
遮蔽液体１２の散布を必要とする具体例として、道路での事故及び建造物の解体工事を説明したが、これらの具体例は例示に過ぎないのは言うまでもない。
【符号の説明】
【００４４】
１  圧力容器
２  可撓性耐圧ホース
３  ノズル
４  安全ピン
５  操作レバー
１０  道路
１１  道路上に散乱した廃棄物
１２  遮蔽液体
１３  散布した遮蔽液体が固化することにより生成される遮蔽物
１４  シャベル
１５  消臭剤及び／又は殺菌消毒剤
２０  遮蔽液体散布装置
２１  タンク
２２  ポンプ
２３  コンプレッサ
２４  耐圧ホース
２５  ガン（散布器）
３０  消臭剤などを散布するための第２の散布装置
４０  遮蔽液体と消臭剤などを一緒に散布することのできる第３の散布装置
【図１】
2015227776.tif 000003
【図２】
2015227776.tif 000004
【図３】
2015227776.tif 000005
【図４】
2015227776.tif 000006
【図５】
2015227776.tif 000007
【図６】
2015227776.tif 000008
【図７】
2015227776.tif 000009